(57)【要約】【課題】平らな床面では回転音が低く、ごみ取れ性能も優れ、それでいて絨毯でも強力にごみを取る電気掃除機用吸込具を提供すること。【解決手段】回転ブラシ（アジテーター）の軸２９を支持する軸受部３１を形成し、回転ブラシの軸２９の下方に被掃除面上を回転するローラー３０を保持して、ローラー３０の上下動とリンクして回転ブラシの軸２９を上下移動自在に軸受部３１で保持すると共に、回転ブラシが上方に移動したときに、回転ブラシがその上方の天面３２と接触する構成とした。これにより、木床面上では、回転ブラシ３が上方に移動し、天面３２と接触してその回転数を抑え、回転音を低減できると共に、絨毯上では回転ブラシが上方に移動することもなく、優れた回転力を発揮し、あらゆる床面で高性能が得られる使い勝手のよい電気掃除機用吸込具を提供することができるようになる。【選択図】図８
2009022339.tif 000002
【特許請求の範囲】
【請求項１】
ブラシもしくはブレートを装備したアジテーターを回転自在に取り付けたアジテーター収納室と、前記アジテーター収納室と連通し、かつ掃除機本体との接続部品に接続を行う接続パイプとを有し、前記アジテーター収納室には、床面に対向する位置に設けた集塵用の吸い込み口と、前記アジテーターを回転させる空気を吸引するために前面に設けた空気流入口と、前記アジテーターの軸を支持する軸受部とを形成し、前記アジテーターの軸の下方に被掃除面上を回転するローラーを保持して、前記ローラーの上下動とリンクして前記アジテーターの軸を上下移動自在に前記軸受部で保持すると共に、前記アジテーターが上方に移動したときに、前記アジテーターがその上方の天面と接触する構成とした電気掃除機用吸込具。
【請求項２】
アジテーターの上方の天面に、アジテーターが回転接触すると負の電荷を生じる材料を保持した請求項１記載の電気掃除機用吸込具。
【請求項３】
請求項１または２に記載の電気掃除機用吸込具を用いた電気掃除機。
【発明の詳細な説明】
【技術分野】
【０００１】
本発明は電気掃除機の吸込具に関するものである。
【背景技術】
【０００２】
従来、この種の吸込具は、図１１に示すようにアジテーター収納部４４の前方に設けた空気流路４１より吸引する空気をブレード４２に当てることによってアジテーター４３を回転させ、床面のごみを集塵する構成をとっている（例えば、特許文献１参照）。
【特許文献１】特開平１１−１２３１６５号公報
【発明の開示】
【発明が解決しようとする課題】
【０００３】
しかしながら上記のような従来の構成では、アジテーター４３の回転数が上がると騒音が大きくなるという弊害を有していた。特に木床などの平らな被掃除面を掃除する場合は、被掃除面とアジテーター４３とが一定の距離を取った状態で保たれるため、アジテーター４３に加わる負荷が抑えられ、吸引風量が多いとアジテーターは高速で回転して音が大きくなっていた。
【０００４】
一方絨毯などの毛羽立った被掃除面を掃除する場合は、アジテーター４３が絨毯の毛に食い込む形となり、アジテーターを回転させるためには風速を上げるか風量を上げて回転力を高める必要があった。
【０００５】
しかし単純に風速を上げると風切音が大きくなってしまい、また風量のみを上げるために吸引用の開口を大きくしてもアジテーター４３に風があたる位置が分散してしまい、回転力を上げる効果は不充分であった。状況によっては一部がアジテーター３３の上方を通過し、逆回転方向の流れが生じることが確認されている。
【０００６】
そのため従来は斜め下方向への気流を作り出すために空気流路４１を傾斜させるなどの手段をとっていたが、それによって空気流入口の面積が絞られ、風速が上がって風切り音が高くなっていた。
【０００７】
本発明は上記課題を解決するもので、木床面などの平らな被掃除面上では、アジテーターの回転数を抑え、回転音を低減するとともに、絨毯などの毛羽立った被掃除面上では確実にアジテーターが回転し、優れたごみとれ性を発揮する使い勝手のよい電気掃除機用の吸込具を提供することを目的とする。
【課題を解決するための手段】
【０００８】
上記課題を解決するために本発明は、ブラシもしくはブレートを装備したアジテーターを回転自在に取り付けたアジテーター収納室と、前記アジテーター収納室と連通し、かつ掃除機本体との接続部品に接続を行う接続パイプとを有し、前記アジテーター収納室には、床面に対向する位置に設けた集塵用の吸い込み口と、前記アジテーターを回転させる空気を吸引するために前面に設けた空気流入口と、前記アジテーターの軸を支持する軸受部とを形成し、前記アジテーターの軸の下方に被掃除面上を回転するローラーを保持して、前記ローラーの上下動とリンクして前記アジテーターの軸を上下移動自在に前記軸受部で保持すると共に、前記アジテーターが上方に移動したときに、前記アジテーターがその上方の天面と接触する構成とした。
【０００９】
これにより、木床など平坦で硬い床面で、アジテーターが上方に移動すると、アジテーターと天面とが接触して、アジテーターの回転を抑制できるため、木床など平坦で硬い床面では、回転数が上がり過ぎるのを防止でき、アジテーターの回転数を抑え、回転音を低減することができると共に、柔らかな床面では、アジテーターが軸受部の下方に位置するため、アジテーターが天面と接触してアジテーターの回転を妨げることもなく、絨毯などの床面でもその回転数を確保でき、集塵性能が低下することもないため、あらゆる床面で高性能が得られる使い勝手のよい電気掃除機用吸込具を提供することができる。
【発明の効果】
【００１０】
本発明によれば、木床面やあるいは絨毯面などの被掃除面の状態に関わらず、必要に応じて回転音を抑えながら、あらゆる被掃除面に対して優れた集塵性能を発揮する電気掃除機用吸込具を提供することができる。
【発明を実施するための最良の形態】
【００１１】
第１の発明は、ブラシもしくはブレートを装備したアジテーターを回転自在に取り付けたアジテーター収納室と、前記アジテーター収納室と連通し、かつ掃除機本体との接続部品に接続を行う接続パイプとを有し、前記アジテーター収納室には、床面に対向する位置に設けた集塵用の吸い込み口と、前記アジテーターを回転させる空気を吸引するために前面に設けた空気流入口と、前記アジテーターの軸を支持する軸受部とを形成し、前記アジテーターの軸の下方に被掃除面上を回転するローラーを保持して、前記ローラーの上下動とリンクして前記アジテーターの軸を上下移動自在に前記軸受部で保持すると共に、前記アジテーターが上方に移動したときに、前記アジテーターがその上方の天面と接触する構成とした。
【００１２】
これにより、木床など平坦で硬い床面で、アジテーターが上方に移動すると、アジテーターと天面とが接触して、アジテーターの回転を抑制できるため、木床など平坦で硬い床面では、回転数が上がり過ぎるのを防止でき、アジテーターの回転数を抑え、回転音を低減することができると共に、柔らかな床面では、アジテーターが軸受部の下方に位置するため、アジテーターが天面と接触してアジテーターの回転を妨げることもなく、絨毯などの床面でもその回転数を確保でき、集塵性能が低下することもないため、あらゆる床面で高性能が得られる使い勝手のよい電気掃除機用吸込具を提供することができる。
【００１３】
第２の発明は、第１の発明のアジテーターの上方の天面に、アジテーターが回転接触すると負の電荷を生じる材料を保持したものであり、アジテーターが回転することにより負の電荷が生じ、正に帯電した塵埃を吸引して集塵効率を向上でき、アジテーターが上方の天面と接触し回転数が抑制されることに伴う集塵性能の低下を補うことができる。
【００１４】
第３の発明は、第１または第２の発明の電気掃除機用吸込具を用いた電気掃除機としたものであり、木床面やあるいは絨毯面などの被掃除面の状態に関わらず、必要に応じて回転音を抑えながら、あらゆる被掃除面に対して優れたごみ取れ性能を発揮する電気掃除機を提供することができる。
【００１５】
（実施の形態１）
以下、本発明の実施の形態１について、図１〜図６を用いて説明する。なお、この実施の形態によって本発明が限定されるものではない。
【００１６】
１は、本発明の第１の実施の形態における電気掃除機用吸込具で、ブラシ２を配列した回転ブラシ（アジテーター）３を、回転ブラシ収納室（アジテーター収納室）４両端の軸受部５に回転自在に配備してある。回転ブラシ収納室４は回転ブラシ３とほぼ同径の断面で形成しており、底部には吸い込み口７が設けてある。９は延長管１０と接続するためのユカノズルパイプ（接続パイプ）で、回転ブラシ収納室４と連通しており、吸い込み口７から吸引されたごみは、ユカノズルパイプ９を通り、延長管１０、およびホース１１を経て掃除機本体８に吸引される。
【００１７】
なおユカノズルパイプ９と回転ブラシ収納室４は、上下方向に回動自在に連結されており、１２はその回動中心を示す（具体的構成は既存の構成と同じであるため説明は省略する）。
【００１８】
回転ブラシ収納室４の前方下部には、前記吸い込み口７とは別の吸引風を取り入れる空気流入口１４が形成されており、回転ブラシ３を回転させる空気が取り入れられる。空気流入口１４の開口面積は、平らな床面において掃除機本体の吸引風量の約３０％の風量が吸引できるよう設定してあり、吸い込み口７が塞がれた時でも５０〜７０％の風量が吸引される程度の圧損に抑えてある。また空気流入口１４は、収納室４前方の中央寄りに２箇所形成しており、吸引風が回転ブラシ３の中央付近に当たるようにしてある。１６は前後に配備したローラーで、回転ブラシ３のブラシ２先端が底部８より１ｍｍ突出するよう床面との距離を維持している。
【００１９】
１７は、回転ブラシ収納室４の前方に形成した突出部で、壁に当たった時の衝撃を受ける補強材の役目をなすとともに、前に配置したローラー１６を回転自在に取り付けてある。突出部１７の上面には上方に開口した上方空気取入口１８を、突出部１７の前面には前方に開口した前方空気取入口１９を形成しており、それぞれ前述の２箇所の空気流入口１４の位置に揃えて配置してある。
【００２０】
さらに詳細な位置関係を述べると上方空気取入口１８は空気流入口１４より高い位置にあり、空気流入口１４とほぼ直交する向きに形成されている。一方前方空気取入口１９は空気流入口１４に対向する位置にあり、上方空気取入口１８とほぼ直交する向きに開口されている。上方空気取入口１８の下方には平板２０が形成されており、平板２０の下流側は回転ブラシ収納室４の空気流入口１４まで至り、上方空気取入口１８および前方空気取入口１９から入った空気を空気流入口１４までガイドする。
【００２１】
２１は、上下移動自在に取り付けられた回転抑制板であり、軸部部２２によりガイドされ、上下に移動する。
【００２２】
上記構成においてその動作を説明する。
【００２３】
木床などの平らな被掃除面においた場合、掃除機本体１１の吸引力により吸い込み口７、空気流入口１４、および後部の溝１５から空気が吸引される。掃除機本体１１の吸引風量の約７０％の風量が吸い込み口７から吸引され、約２５％が空気流入口１４から、約５％が溝１５の部分から吸引される。
【００２４】
空気流入口１４から吸引された空気は、回転ブラシ３を回転させ、床面のごみをかきあげる作用を発揮し、吸い込み口７からの吸引風と相まって床面のごみを集塵する。このとき空気流入口１４に入る空気は、上方空気取入口１８から入る垂直方向の気流と前方空気取入口１９から入る水平方向の気流とがぶつかり合うため斜め下方向への気流となって回転ブラシ収納室４に入る。そのため回転ブラシ３の外径側に風が当たり、高トルクの回転力が発揮される。但し、空気流入口１４から吸引される空気は全体の吸引量の約２５％であり、回転ブラシ３の回転数が著しく上がるわけではない。
【００２５】
本発明において、木床など平らで硬い床面上に吸込具２１が置かれた場合、回転抑制板２１の軸部２２は、上方に移動し、これにより回転ブラシ３の軸２３と接触して回転が抑制される。従来、平らな被掃除面では、回転ブラシが高速（約５０００回転／分）で回り、高い回転音を発していた。回転を制御することにより静音化を達成することができる。
【００２６】
絨毯など柔らかな床面では、回転抑制板２２は、下方に移動し、アジテーターの軸と接触しないため、回転を妨げず絨毯上で回転数が低下せずしっかり掃除ができる。
【００２７】
（実施の形態２）
本実施の形態において、図７に示すように、回転ブラシ収納室４の前方下部に軸支された回転抑制板２４を保持する。回転抑制板２４の前方に保持したローラー２５は、木床など平坦で硬い床面では、回動して上方に移動する。これにより回転抑制板が下方に回動してアジテーター３の軸２６と接触する。これによりアジテーター３の回転が抑制される。絨毯などの柔らかな床面では、回転抑制板は、アジテーター３の軸から離れアジテーターの回転を妨げない。
【００２８】
（実施の形態３）
本実施の形態において、図８に示すように、アジテーター３の軸２９を上下自在に保持するとともに軸２９の下方にローラー３０を保持した軸受部３１を形成している。これにより、木床などの硬い床面では、アジテーター３自体を上方に移動させる。これによりアジテーター３は、アジテーター収納室４の天面３２と接触する。このときアジテーター３は摩擦抵抗を受け回転数が低下する。
【００２９】
尚、回転数を抑制する方法としては、天面と接触させる意外に、例えば図８に示すような方法でも支障がない。すなわち、アジテーター３の軸２７を上下移動自在に保持し、軸受部２８を上方に行くに従って径小に形成することで、木床などの面では、アジテーター３は、上方に移動し、軸２７は上下移動自在に保持されているため、上方に移動するが、軸受部２８は上方が径小に形成されており、軸２７が移動すると軸受部２８の摩擦抵抗を受け、これによりアジテーター３の回転が抑制され騒音の増大を抑制できるものである。
【００３０】
（実施の形態４）
本実施の形態において、図１０に示すように、アジテーター収納室４の天面３２にアジテーター３が回転接触すると負の電荷を生じる一例として塩ビなどのイオン板３３を保持したため、アジテーター３が回転した時負の電荷を生じ、正に帯電している塵埃を集塵する効果が生まれる。従って回転数が低下しても良好な集塵性能を維持できる。
【産業上の利用可能性】
【００３１】
以上のように、本発明にかかる電気掃除機用吸込具およびこれを用いた電気掃除機は、被掃除面の状態に関わらず、必要に応じて回転音を抑えながら、あらゆる被掃除面に対して優れたごみ取れ性能を発揮でき、業務用等も含めて幅広く適用でき、極めて有用なものである。
【図面の簡単な説明】
【００３２】
【図１】本発明の実施の形態１における電気掃除機用吸込具の断面図
【図２】同、電気掃除機用吸込具の上面図
【図３】同、電気掃除機用吸込具の要部断面図
【図４】同、電気掃除機用吸込具の横断面図
【図５】同、電気掃除機まわりの外観斜視図
【図６】（ａ）同、電気掃除機用吸込具の要部横断面図（ｂ）同、電気掃除機用吸込具の要部縦断面図（ｃ）（ａ）のＡ−Ａ断面矢視図
【図７】本発明の実施の形態２における電気掃除機用吸込具の要部断面図
【図８】（ａ）本発明の実施の形態３における電気掃除機用吸込具の要部横断面図（ｂ）同、電気掃除機用吸込具の要部縦断面図（ｃ）（ａ）のＡ−Ａ断面矢視図
【図９】（ａ）同、電気掃除機用吸込具に関する他の実施例を示す要部横断面図（ｂ）同、要部縦断面図（ｃ）（ａ）のＡ−Ａ断面矢視図
【図１０】本発明の実施の形態４における電気掃除機用吸込具の要部断面図
【図１１】従来例における電気掃除機用吸込具の断面図
【符号の説明】
【００３３】
１    電気掃除機用吸込具
２    ブラシ
３    回転ブラシ（アジテーター）
４    回転ブラシ収納室（アジテーター収納室）
７    吸い込み口
９    ユカノズルパイプ（接続パイプ）
１４  空気流入口
２９  軸
３０  ローラー
３１  軸受部
３２  天面
３３  イオン板
【図１】
2009022339.tif 000003
【図２】
2009022339.tif 000004
【図３】
2009022339.tif 000005
【図４】
2009022339.tif 000006
【図５】
2009022339.tif 000007
【図６】
2009022339.tif 000008
【図７】
2009022339.tif 000009
【図８】
2009022339.tif 000010
【図９】
2009022339.tif 000011
【図１０】
2009022339.tif 000012
【図１１】
2009022339.tif 000013